(57)【特許請求の範囲】
【請求項１】
原稿を読み取る原稿読取部と、
前記原稿読取部による読み取りで得られた前記原稿の画像データに基づいて、前記原稿上に形成されている画像に含まれる文字を検出する文字検出部と、
前記文字検出部によって検出された文字の濃度を検出する文字濃度検出部と、
前記文字濃度検出部によって検出された濃度が、予め設定されている規定濃度範囲にある文字について、当該文字の方向を検出する文字方向検出部と、
前記文字方向検出部により検出された当該文字の方向に基づいて、前記原稿上に形成された画像の向きを、原稿の向きとして判別する原稿方向判別部と、を備え、
前記文字方向検出部が、前記文字濃度検出部によって検出された文字の濃度に基づいて、前記原稿の画像がモノクロ又はカラーのいずれであるかを判別し、前記原稿の画像がモノクロであると判別した場合、前記文字方向検出部は、予め定められた第１濃度よりも濃い濃度範囲を前記規定濃度範囲とし、
前記文字方向検出部が、前記文字濃度検出部によって検出された文字の濃度に基づいて、前記原稿の画像がモノクロ又はカラーのいずれであるかを判別し、前記原稿の画像がカラーであると判別した場合、前記文字方向検出部は、予め定められた第２濃度よりも濃い濃度範囲と、当該第２濃度よりも低い第３濃度と、当該第３濃度よりも低い第４濃度との間となる濃度範囲を、前記規定濃度範囲とする画像読取装置。
【請求項２】
前記規定濃度範囲を示す値の設定を操作者から受け付ける濃度範囲設定受付部を備え、
前記文字方向検出部は、前記濃度範囲設定受付部により受け付けられた値を前記規定濃度範囲とする請求項１に記載の画像読取装置。
【請求項３】
請求項１又は請求項２に記載の画像読取装置と、
記録媒体に画像を形成する画像形成部と、を備えた画像形成装置。
【発明の詳細な説明】
【技術分野】
【０００１】
本発明は、画像読取装置及び画像形成装置に関し、特に、原稿の向きを判定する技術に関する。
【背景技術】
【０００２】
近年、コピー機能、プリンター機能、スキャナー機能、及びファクシミリ機能のような複数の機能を兼ね備えた複合機には、スキャン時に原稿の向きを検知する自動原稿向き検知機能を有しているものがある。
【０００３】
例えば、下記の特許文献１，２には、複数枚を束にして原稿の読み込みを行う場合、各原稿の向きを自動的に判定し、その判定結果に基づいて、各原稿の画像データに対して必要に応じて回転処理を行い、原稿画像データの向きを揃える技術が記載されている。また、下記の特許文献３には、一方の面で原稿の向きを判定できない場合に、他方の面で原稿の向きを判定する技術が記載されている。また、下記の特許文献４には、複数枚を束にして原稿の読み込みを行う場合、最初の原稿（１枚目の原稿）の向きのみを判定し、その判定結果に基づいて、２枚目以降の原稿についても、１枚目の原稿の画像データに対する同じ回転処理を行い、原稿の向きを揃える技術が記載されている。
【０００４】
そして、特許文献１〜４には、文字認識（一般にＯＣＲと呼ばれる）機能を利用して、原稿画像に含まれる文字の方向を検出し、検出された文字の方向に基づいて当該原稿の向きを検知する技術が記載されている。
【０００５】
また、文字認識機能で、画像の濃度分布を求め、この濃度分布に基づき文字の濃度分布域を黒、それ以外を白に変換することで、文字認識の対象を黒色で画像形成されている文字に絞り、これにより文字認識精度を高める技術が記載されている（下記特許文献５）。この技術では、特にドロップアウトカラーの画像は、読み取ったときには低い濃度になるので白に変換されて文字認識の対象から除外され、また、罫線などを検出した場合も文字認識の対象から罫線を除く処理を行うので、この点からも文字認識の精度を高めている。
【先行技術文献】
【特許文献】
【０００６】
【特許文献１】特開平０６−１０３４１０号公報
【特許文献２】特開平１１−１２０３２１号公報
【特許文献３】特開平０６−２２５０５３号公報
【特許文献４】特開２００３−１１０８２９号公報
【特許文献５】特開２０００−２３１６０１号公報
【発明の概要】
【発明が解決しようとする課題】
【０００７】
ＰＣ（パーソナルコンピューター）等で作成されて既知のフォントからなる印字文字（いわゆる活字）が印刷された印刷物に、鉛筆やボールペン等の筆記具で手書き文字が書き加えられる場合がある。この場合、印刷物に含まれる上記印字文字の方向は基本的に同じであるが、ユーザーが、印刷物の余白領域などに、好みの向きに書き加えることが多いため、印字されている文字の方向と同じであるとは限らない。
【０００８】
ＯＣＲ機能は、上記フォントを示す画像と、読み取った文字を示す画像とのパターンマッチング等による照合で文字を認識するが、上記手書き文字が当該フォントを示す画像と
一致して、文字と認識されることもある。この場合、上記印字文字の向きと、当該手書き文字の向きとが異なる方向に検出されることがあり、原稿画像の向きが誤判定されるおそれがある。
【０００９】
また、ＯＣＲの精度を高めるために、特許文献５にある技術を用いた場合、カラー画像であってもモノクロ画像に変換して文字認識を行うので、カラー画像の場合に適したＯＣＲ技術と、モノクロ画像に適したＯＣＲ技術を使い分けてはいない。
【００１０】
本発明は、上記の事情に鑑みなされたものであり、印字文字と手書き文字とが混在した原稿であっても原稿画像の向きを正確に判定でき、さらに、原稿画像がモノクロである場合における原稿画像の向きの判定の正確性を高めることを目的とする。
【課題を解決するための手段】
【００１１】
本発明の一局面に係る画像読取装置は、原稿を読み取る原稿読取部と、前記原稿読取部による読み取りで得られた前記原稿の画像データに基づいて、前記原稿上に形成されている画像に含まれる文字を検出する文字検出部と、前記文字検出部によって検出された文字の濃度を検出する文字濃度検出部と、前記文字濃度検出部によって検出された濃度が、予め設定されている規定濃度範囲にある文字について、当該文字の方向を検出する文字方向検出部と、前記文字方向検出部により検出された当該文字の方向に基づいて、前記原稿上に形成された画像の向きを、原稿の向きとして判別する原稿方向判別部とを備え、前記文字方向検出部が、前記文字濃度検出部によって検出された文字の濃度に基づいて、前記原稿の画像がモノクロ又はカラーのいずれであるかを判別し、前記原稿の画像がモノクロであると判別した場合、前記文字方向検出部は、予め定められた第１濃度よりも濃い濃度範囲を前記規定濃度範囲とするものである。
【００１２】
本発明の一局面に係る画像形成装置は、上記画像読取装置と、記録媒体に画像を形成する画像形成部とを備えたものである。
【発明の効果】
【００１３】
鉛筆などによる手書き文字は、印字文字に比べて、濃度が薄くなるのが一般的である。そのため、原稿上に形成された画像に含まれる文字の中から濃度の薄い文字を取り除けば、既知のフォントからなる印字文字だけが残る。
【００１４】
本発明によれば、原稿の画像から検出された文字のうち、予め設定されている規定濃度範囲にある文字について、その方向が検出され、検出された当該文字の方向に基づいて、原稿の画像の向きが判別される。従って、当該規定濃度範囲を、既知のフォントからなる印字文字に用いられる濃度（手書き文字の濃度よりも高濃度）に設定すれば、手書き文字を除外して印字文字についてその方向を検出し、印字文字のみについての文字方向に基づいて、原稿上に形成された画像の向きを判定可能になるので、印字文字と手書き文字とが混在した原稿であったとしても、印字文字について検出した文字方向に基づいて、原稿上に形成された画像の向きを原稿向きとして正確に判定することが可能になる。
【００１５】
また、本発明では、文字方向検出の対象がモノクロである場合には、文字方向検出部が、第１濃度よりも濃い濃度範囲を上記規定濃度範囲として、文字方向検出の対象とする文字を判断するようにして、モノクロ文字の場合には固有の判断基準を用いているため、原稿画像がモノクロである場合における原稿画像の向きの判定の正確性が高められる。
【図面の簡単な説明】
【００１６】
【図１】本発明の一実施形態に係る画像読取装置としての画像形成装置の主要内部構成を概略的に示した機能ブロック図である。
【図２】表示部に表示される操作画面の一例を示した図である。
【図３】文字方向の検出に用いられる濃度範囲を説明するための説明図であり、（Ａ）はモノクロの場合を示し、（Ｂ）はカラーの場合を示している。
【図４】画像形成装置による原稿方向判別処理の一例を示したフローチャートである。
【図５】原稿画像の一例を示した図である。
【図６】原稿画像の濃度ヒストグラムを示した図である。
【発明を実施するための形態】
【００１７】
以下、本発明の一実施形態に係る画像読取装置及び画像形成装置について図面を参照して説明する。図１は、本発明の一実施形態に係る画像読取装置としての画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard
Disk Drive）９２、定着部１３、給紙部１４、操作部４７、ファクシミリ通信部７１、及びネットワークインターフェイス部９１を含んで構成されている。
【００１８】
原稿給送部６は、読取対象の原稿を原稿読取部５へ給送する。
【００１９】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。
【００２０】
画像形成部１２は、印刷すべき画像のトナー像を用紙（記録媒体）上に形成する。
【００２１】
画像メモリー３２は、原稿読取部５による読み取りで得られた原稿の画像データを一時的に記憶したり、画像形成部１２のプリント対象となるデータを一時的に保存したりするための領域である。
【００２２】
ＨＤＤ９２は、原稿読取部５によって読み取られた原稿画像等を記憶する大容量の記憶装置である。
【００２３】
定着部１３は、用紙上のトナー像を、熱圧着により用紙に定着させる。
【００２４】
給紙部１４は、給紙カセット（図示せず）を備え、給紙カセットに収容された用紙をピックアップして搬送する。
【００２５】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２６】
ファクシミリ通信部７１は、図示しない符号化・複合化部、変復調部、及びＮＣＵ（Network Control Unit）等を備え、公衆電話回線網を用いてのファクシミリの通信を行うものである。
【００２７】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（ＰＣ）等の外部装置２０と種々のデータの送受信を行うものである。
【００２８】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、制御部１００と、文字検出部１０１と、文字濃度検出部１０２と、文字方向検出部１０３と、原稿方向判別部１０４と、濃度範囲設定受付部１０５とを備えている。
【００２９】
制御ユニット１０は、ＨＤＤ９２にインストールされている制御プログラムに従った動作により、制御部１００と、文字検出部１０１と、文字濃度検出部１０２と、文字方向検出部１０３と、原稿方向判別部１０４と、濃度範囲設定受付部１０５として機能するものである。但し、制御部１００等は、制御ユニット１０による制御プログラムに従った動作によらず、それぞれハードウェア回路により構成することも可能である。以下、特に触れない限り、本実施形態について同様である。
【００３０】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御を行う。
【００３１】
文字検出部１０１は、原稿読取部５による読み取りで得られた原稿の画像データに基づいて、当該原稿上に形成されている画像に含まれる文字を検出する。文字検出部１０１は、例えば、ＯＣＲ機能により、既知のフォントを用いて画像形成装置１により形成された印字文字（いわゆる活字）を示す画像と、原稿読取部５による読み取りで得られた画像の各部分とのパターンマッチング等による照合で、当該原稿読取部５による読み取りで得られた画像に含まれる文字を検出する。
【００３２】
文字濃度検出部１０２は、文字検出部１０１によって検出された文字の濃度を検出する。
【００３３】
文字方向検出部１０３は、文字検出部１０１によって検出された文字の方向を検出する。例えば、文字方向検出部１０３は、文字濃度検出部１０２によって検出された濃度が、予め設定しておいた規定濃度範囲にある文字について、当該文字の方向を検出する。
【００３４】
原稿方向判別部１０４は、文字方向検出部１０３により検出された文字の方向に基づいて、原稿上に形成された画像（以下、原稿画像という）の向きを判別する。本実施形態では、原稿方向判別部１０４は、このように判別する原稿画像の向きを、原稿の向きとして判別する。例えば、原稿方向判別部１０４は、文字方向検出部１０３により検出された文字の方向が縦向きであると判別した場合、原稿の向きも縦向きと判別する。
【００３５】
なお、文字方向検出部１０３は、上記規定濃度範囲として、操作者により設定された値を用いることも可能である。濃度範囲設定受付部１０５は、上記規定濃度範囲としての値の設定を操作者による操作部４７の操作に応じて受け付ける。この場合、文字方向検出部１０３は、当該受け付けられた値を、上記規定濃度範囲として用いる。
【００３６】
例えば、操作部４７が操作されて、原稿方向の判別に関する詳細な設定が操作者から要求されると、文字方向検出部１０３は、図２に示すような、選択ボタンＢ１，Ｂ２を有する詳細設定画面Ｄ１を表示部４７３に表示させる。詳細設定画面Ｄ１を表示する表示部４７３の表示画面への操作者によるタッチ操作に基づいて、表示部４７３に備えられるタッチパネル機能により、文字方向検出部１０３は、各種指示を操作者から受け付ける。
【００３７】
選択ボタンＢ１，Ｂ２は、原稿画像の向きの判別を、手書き文字の向きを含めて行うか否かの指示を操作者から受け付けるためのボタンである。
【００３８】
手書き文字を除外することを示す選択ボタンＢ１が操作者により操作されると、文字方向検出部１０３は、文字検出部１０１によって検出された文字のうち、文字濃度検出部１０２によって検出された濃度が上記規定濃度範囲にある文字についてのみ、当該文字の方向を検出する。また、手書き文字を除外しないことを示す選択ボタンＢ２が操作者により操作されると、文字方向検出部１０３は、文字検出部１０１によって検出された文字の全てについて、文字濃度検出部１０２によって検出された濃度に拘わらず、文字の方向を検出する。
【００３９】
選択ボタンＢ１が操作者により操作された場合、文字方向検出部１０３は、上記規定濃度範囲として、既知のフォントからなる印字文字に用いられる濃度として予め定められた値（手書き文字の濃度よりも高濃度）を用いる。
【００４０】
なお、操作者による上記選択ボタンＢ１，Ｂ２の操作に基づく、手書き文字の向きを含めて行うか否かの指示は、操作者による操作部４７の操作で原稿読取部５による原稿読取指示が入力される前に入力され、文字方向検出部１０３により受け付けられる。
【００４１】
文字方向検出部１０３は、文字濃度検出部１０２によって検出された文字の濃度に基づいて、原稿読取部５による読取で得られた原稿の画像がモノクロ又はカラーのいずれであるかを判別する。文字方向検出部１０３は、当該原稿の画像がモノクロであると判別した場合、予め定められた第１濃度よりも濃い濃度範囲を上記規定濃度範囲として用いる。但し、当該第１濃度よりも濃い濃度範囲は、上述したように、操作者により値の設定が可能とされてもよい。
【００４２】
原稿の画像がモノクロである場合、文字方向検出部１０３は、図３（Ａ）に示す濃度イメージのように、予め定められた濃度Ｃ１よりも濃い部分（領域Ｅ１以外）を規定濃度範囲Ｒに設定する。このように設定するのは、例えば鉛筆や、ペンのインクで書かれた手書き文字は濃度が薄く、領域Ｅ１が示す濃度に含まれることが多く、上記印字文字の場合はその多くが、領域Ｅ１以外の領域が示す濃度になる。このため、予め定められた第１濃度Ｃ１よりも濃い部分を規定濃度範囲Ｒに設定すれば、文字方向検出部１０３による方向検出の対象とする文字から、手書き文字を除外可能となる。
【００４３】
また、文字方向検出部１０３が、文字濃度検出部１０２によって検出された文字の濃度に基づいて、上記原稿の画像がカラーであると判別した場合、文字方向検出部１０３は、予め定められた第２濃度よりも濃い濃度範囲と、当該第２濃度よりも低い第３濃度と、当該第３濃度よりも低い第４濃度との間となる濃度範囲を、上記規定濃度範囲とする。但し、当該濃度範囲は、上述したように、操作者により値の設定が可能とされてもよい。
【００４４】
原稿の画像がカラーである場合、文字方向検出部１０３は、図３（Ｂ）に示す濃度イメージのように、予め定められた第２濃度Ｃ２よりも濃い部分と、第３濃度Ｃ３（＜第２濃度Ｃ２）よりも薄く、第４濃度Ｃ４（＜第３濃度Ｃ３）よりも濃い部分を規定濃度範囲Ｒとして用いる。すなわち、領域Ｅ２，Ｅ３以外の部分を規定濃度範囲Ｒに設定する。例えば、比較的新しい赤ボールペンで書かれた文字は薄く不鮮明な赤色で領域Ｅ３が示す濃度になり、古い赤ボールペンで書かれた文字は黒みを帯びた赤茶色に近い色となり、領域Ｅ２が示す濃度になることがあるからである。このため、第２濃度Ｃ２よりも濃い濃度範囲、及び第３濃度Ｃ３よりも薄く、第４濃度Ｃ４よりも濃い濃度範囲を規定濃度範囲Ｒとすれば、文字方向検出部１０３による方向検出の対象とする文字から、手書き文字を除外可能となる。
【００４５】
なお、本発明の一実施形態に掛かる画像読取装置は、少なくとも、原稿読取部５と、文字検出部１０１と、文字濃度検出部１０２と、文字方向検出部１０３とを備える。本発明の一実施形態に掛かる画像読取装置は、これに加えて更に、濃度範囲設定受付部１０５を備えていてもよい。
【００４６】
次に、画像形成装置１による原稿方向判別処理を説明する。図４は画像形成装置１による原稿方向判別処理を示すフローチャートである。
【００４７】
操作者による操作部４７の操作により原稿読取指示が入力されると、制御部１００は、原稿読取部５に原稿を読み取らせる（Ｓ１）。続いて、制御部１００は、当該読取で得られた原稿画像を示す画像データを画像メモリー３２に保存する（Ｓ２）。
【００４８】
そして、文字検出部１０１は、原稿読取部５による読み取りで得られた原稿の画像データに基づいて、当該原稿上に形成されている画像に含まれる各文字を検出する（Ｓ３）。さらに、文字濃度検出部１０２は、文字検出部１０１によって検出された各文字の濃度を検出する（Ｓ４）。
【００４９】
また、文字方向検出部１０３は、上記選択ボタンＢ１，Ｂ２のいずれのボタン操作による指示を受け付けているかを判断する（Ｓ５）。ここで、文字方向検出部１０３が、選択ボタンＢ１の操作に基づく手書き文字を除外して原稿方向を判別する指示を受け付けていると判断した場合は（Ｓ５でＹＥＳ）、文字方向検出部１０３は、更に、原稿の画像がカラー又はモノクロのいずれであるかを判断する（Ｓ６）。
【００５０】
文字方向検出部１０３が、原稿の画像がカラーであると判断した場合（Ｓ６で「カラー」）、図３（Ｂ）に示したような領域Ｅ２，Ｅ３以外の部分（高濃度及び中濃度）を規定濃度範囲Ｒに設定する（Ｓ７）。すなわち、文字方向検出部１０３は、高濃度及び中濃度の濃度範囲を規定濃度範囲Ｒに設定する。
【００５１】
一方、文字方向検出部１０３は、原稿の画像がモノクロであると判断した場合（Ｓ６で「モノクロ」）、例えば図３（Ａ）に示した第１濃度Ｃ１よりも濃い部分を規定濃度範囲Ｒに設定する（Ｓ８）。
【００５２】
文字方向検出部１０３は、文字検出部１０１によって検出された各文字のうち、Ｓ７又はＳ８で設定した規定濃度範囲Ｒの濃度を有する文字についてその方向を検出する（Ｓ９）。
【００５３】
なお、Ｓ５において、文字方向検出部１０３が、選択ボタンＢ２の操作に基づいて、手書き文字を除外せずに原稿方向を判別する指示を受け付けていると判断した場合は（Ｓ５でＮＯ）、文字検出部１０１により検出された文字についてその方向を検出する（Ｓ１１）。すなわち、文字方向検出部１０３は、各文字の濃度に拘わらず、全ての文字についてその方向を検出する。
【００５４】
そして、原稿方向判別部１０４は、Ｓ９又はＳ１１において文字方向検出部１０３により検出された文字の方向を、原稿上に形成されている画像の方向として判別する（Ｓ１０）。
【００５５】
例えば、図５に示すような原稿Ｄが読み取られると、手書き文字を除外せずに原稿方向を判別すると、手書き文字ＨＭは図５において左向きと判別され、印字文字ＰＭは図５において上向きと判別されるため、原稿方向は、当該左向き又は上向きのいずれかとなるため、印刷内容の多くを占める印字文字の方向が上向きであるにも拘わらず、原稿が左向きと判断されるおそれがある。しかしながら、上記実施形態によれば、手書き文字を除外して原稿方向を判別すれば、印字文字ＰＭの向きのみに基づいて原稿方向が判別可能であるため、印刷内容の多くを占める印字文字の方向と、判別される原稿方向とを、一致させることができる。
【００５６】
鉛筆などによる手書き文字は、印字文字に比べて、濃度が薄くなるのが一般的である。そのため、原稿上に形成された画像に含まれる文字の中から濃度の薄い文字を取り除けば、既知のフォントからなる印字文字だけが残る。本実施形態では、上記規定濃度範囲を、既知のフォントからなる印字文字に用いられる濃度（手書き文字の濃度よりも高濃度）に設定することで、手書き文字を除外して印字文字についてその方向を検出し、印字文字のみについての文字方向に基づいて、原稿上に形成された画像の向きを判定可能としている。このため、本実施形態によれば、印字文字と手書き文字とが混在した原稿であったとしても、印字文字について検出した文字方向に基づいて、原稿上に形成された画像の向きを原稿向きとして正確に判定することが可能である。
【００５７】
本発明は上記実施の形態の構成に限られず種々の変形が可能である。例えば、上記実施形態では、文字方向検出部１０３が、文字濃度検出部１０２によって検出された各文字の濃度に基づいて、文字検出部１０１によって検出された各文字がカラー又はモノクロのいずれであるかを判別し、当該各文字がカラー又はモノクロのいずれであるかに応じて、それぞれに用いる各別の規定濃度範囲Ｒを用いるものとしているが、これに代えて、例えば、文字方向検出部１０３が、文字濃度検出部１０２により検出された各文字の濃度に基づいて、原稿の画像に含まれる各文字についての濃度ヒストグラムを算出し、算出した濃度ヒストグラムから、出現頻度の最も高い範囲を、規定濃度範囲Ｒとして用いるようにしてもよい。
【００５８】
例えば、図６に示すように、原稿読取部５によって読み取られた原稿の画像データにおいて、出現頻度の高い文字濃度がＥａ〜Ｅｄのように４つ存在する場合、文字方向検出部１０３は、濃度Ｃ５以上であり、出現頻度の最も高い領域Ｅｃを規定濃度範囲Ｒに設定する。なお、原稿用紙の地肌が、出現頻度の最も高い領域Ｅａとなることが多い。
【００５９】
これによれば、操作者が何ら特別な操作や設定を行わなくても、原稿上に形成された画像において、印字文字が手書き文字よりも多くを占める場合には、印字文字の方向を原稿方向として判別でき、手書き文字が印字文字よりも多くを占める場合には、手書き文字の方向を原稿方向として判別できる。
【００６０】
また、上記実施形態では、本発明に係る画像形成装置の一実施形態として複合機を用いて説明しているが、これは一例に過ぎず、他の電子機器、例えば、コピー機能、プリンター機能、スキャナー機能、ファクシミリ機能を有した他の画像読取装置でもよい。
【００６１】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００６２】
１        画像形成装置
５        原稿読取部
１０      制御ユニット
１００    制御部
１０１    文字検出部
１０２    文字濃度検出部
１０３    文字方向検出部
１０４    原稿方向判別部
１０５    濃度範囲設定受付部
【図１】
0006394579.tif 000002
【図２】
0006394579.tif 000003
【図３】
0006394579.tif 000004
【図４】
0006394579.tif 000005
【図５】
0006394579.tif 000006
【図６】
0006394579.tif 000007